(57)【要約】 【課題】  簡易な構成でありながらＬＥＤの温度上昇を抑制することができる放熱効率が得られ、しかも製造コストを低減することができる電球形発光ダイオード照明灯の放熱体を提供する。【解決手段】  放熱体１は、基端側１ａに設けられる電球の口金４と、開口端側１ｂに設けられる複数個のＬＥＤ６が表面側に実装されたプリント配線板５との間に介在される。放熱体１は、熱伝導率が良好なアルミニウムを押出し加工または引抜き加工によって中空円筒状に形成され、外周には複数条の突堤フィン２が形成されるとともに、中空内部にはＬＥＤ６の電源を生成する電源部を収納するための収納部３が形成される。突堤フィン２は、外周からの高さが基端側１ａから開口端側１ｂに至るに従って暫時大きくなるように突出形成され、開口端側１ｂの突堤フィン２端面は、金属プリント配線板５の裏面側が面接合するように平面に形成される。【選択図】     図１
2011108493.tif 000002
【特許請求の範囲】
【請求項１】
基端側に設けられる電球の口金と、開口端側に設けられる複数個のＬＥＤが表面側に実装されたプリント配線板との間に介在される放熱体であって、
上記放熱体は、熱伝導率が良好なアルミニウムを押出し加工または引抜き加工によって中空円筒状に形成され、外周には複数条の突堤フィンが形成されるとともに、中空内部には上記ＬＥＤの電源を生成する電源部を収納するための収納部が形成され、
上記突堤フィンは、外周からの高さが上記基端側から上記開口端側に至るに従って暫時大きくなるように突出形成され、
上記開口端側の上記突堤フィン端面は、金属プリント配線板の裏面側が面接合するように平面に形成されたことを特徴とする電球形ＬＥＤ照明灯の放熱体。
【請求項２】
収納部は、中空内部の内周面に基端側から開口端側に至る挿通溝が一体に形成された請求項１に記載の電球形ＬＥＤ照明灯の放熱体。
【請求項３】
上記突堤フィンは、屈曲加工な肉薄に形成され、基端側から上記開口端側に至るに従って高さが暫時大きくなるように上記突堤フィンの先端側が屈曲された請求項１に記載の電球形ＬＥＤ照明灯の放熱体。
【請求項４】
アルミニウムを押出し加工または引抜き加工によって外周に複数条の突堤が形成されるとともに、内周に円筒状の中空部が形成された長尺の放熱体素材を所定寸法に切断する切断工程と、
上記放熱体素材の上記突堤を基端側から上記開口端側に至るに従って高さが暫時大きくなるように切削または切断して突堤フィンを形成するフィン形成工程と、
開口端側の上記突堤フィン端面を、金属プリント配線板の裏面側が面接合するための平面加工、或いは、口金を取り付けるための形状に加工する成形加工工程とを少なくとも備えることを特徴とする電球形ＬＥＤ照明灯の放熱体の形成方法。
【請求項５】
アルミニウムを押出し加工または引抜き加工によって外周に屈曲可能な肉厚とした複数条の突堤が形成されるとともに、内周に円筒状の中空部が形成された長尺の放熱体素材を所定寸法に切断する切断工程と、
基端側と開口端側の上記突堤先端を結ぶ屈曲線として上記放熱体素材の上記突堤を略周方向に屈曲して、上記基端側から上記開口端側に至るに従って高さが暫時大きくなるように突堤フィンを形成するフィン形成工程と、
開口端側の上記突堤フィン端面を、金属プリント配線板の裏面側が面接合するための平面加工、或いは、口金を取り付けるための形状に加工する成形加工工程とを少なくとも備えることを特徴とする電球形ＬＥＤ照明灯の放熱体の形成方法。
【発明の詳細な説明】
【技術分野】
【０００１】
本発明は、電球形ＬＥＤ照明灯の放熱体に関し、詳しくは、ＬＥＤの温度上昇を抑制するための放熱体に関する。
【背景技術】
【０００２】
近年、環境問題、特に二酸化炭素の削減において、低消費電力である発光ダイオード（以下、ＬＥＤと略記する）を用いた照明灯の需要が高まっている。ＬＥＤは、温度が上昇するに従い、光出力の低下とともに寿命も短くなることが知られている。このため、ＬＥＤを光源とするランプでは、ＬＥＤの温度上昇を抑制することが求められている。従来、こうした要請に配慮して、ＬＥＤから伝わる熱を外部に放出するための放熱部を備え、この放熱部を外部に露出させたＬＥＤ電球が知られている
【０００３】
例えば、特開２００１−２４３８０９号公報（特許文献１）に記載のＬＥＤ電球は、略球体の内部に設けた金属基板の外面にはＬＥＤが実装され、略球体の一端には口金が設けられ、他端は開口部に向けてラッパ状をなす金属製放熱部と、前記開口部に取付けられた透光性カバーが設けられている。また、特開２００６−３１３７１７号公報（特許文献２）に記載の電球形ＬＥＤランプは、外部に露出する周部を有する金属製の外郭部材（放熱部）の光源取付け部に熱伝導するようにＬＥＤが実装されたＬＥＤ基板を取付けたものであり、ＬＥＤ基板の熱を金属製外郭部材の光源取付け部を介して周部に伝導させ、包熱効果を高めることによってＬＥＤ基板の温度上昇を抑制することが記載されている。
【０００４】
これらの特許文献１および２に記載の放熱部は、その形状がラッパ状に形成されていることから、放熱面積が小さいために、ＬＥＤから伝わる熱を外部に放出するための放熱効率が小さくなり、特に大きな電流を流すことが必要な高輝度ＬＥＤにあっては、高温の発熱を伴うために温度上昇を抑制することができないことがある。
【０００５】
そのために、外面に放熱フィンを形成した放熱部が提案されている。例えば、特開２００９−１７０１１４号公報（特許文献３）の段落００２８には、中空内部に青色ＬＥＤ素子を点灯する点灯回路が内蔵され、側面部には複数の放熱フィンが設けられた放熱部が記載され、ＬＥＤモジュールの青色ＬＥＤ素子の熱が放熱板を介して複数の放熱フィンに伝熱され、複数の放熱フィンから放熱することが記載されている。
【０００６】
また、外面に放熱フィンを形成した放熱部としては、特開２００６−４０７２７号公報（特許文献４）の段落００２４、００２５には、ＬＥＤを実装した金属プリント配線板を収納する例えばアルミニウムのような金属からなる器体の頭部の外周面には、それぞれ上下に長い多数の放熱フィンを周方向に沿って等間隔に突設することが記載されている。
【０００７】
【特許文献１】特開２００１−２４３８０９号公報
【特許文献２】特開２００６−３１３７１７号公報
【特許文献３】特開２００９−１７０１１４号公報
【特許文献４】特開２００６−４０７２７号公報
【発明の開示】
【発明が解決しようとする課題】
【０００８】
上述した特許文献３および特許文献４に示される放熱部や器体は、外周面に放熱フィンを形成することによって放熱面積が大幅に増加することから、放熱効率が高くなり、高輝度ＬＥＤであっても温度上昇を抑制することが可能となる。しかしながら、放熱部および放熱フィンについて言及した記載がないが、図示の構造および形状から、表面に多数のフィンを備えた中空のすり鉢形状の部品は、アルミダイキャストによって形成することが推察される。
【０００９】
ところが、アルミダイキャストは、良く知られている一般的な形成手段であるが、アルミダイキャストを放熱部材として使用することは必ずしも好ましくない。すなわち、アルミダイキャストは、アルミニウム素材の他に亜鉛、錫、マンガン等の数種の金属を加えている。このため、アルミダイキャストの熱伝導率は、約９６Ｗ／ｍ・℃と、アルミニウムの金属板素材の熱伝導率約２３０Ｗ／ｍ・℃よりも大幅に低い値を示している。
【００１０】
因みに、公設の工業技術センターが行ったＬＥＤ電球のアルミダイキャスト製アルミ放熱ボディの研究の結果によると、高輝度ＬＥＤ等の一部のＬＥＤ電球では、放熱が追いつかず、ＬＥＤ 寿命が低下することが懸念されため、ボディをより大型化しフィン枚数を増やすことで放熱面積を増加させる対策を講じたと報じている。このように、アルミダイキャスト製の放熱部を使用することにより、重量及び体積が大きくなり、光源をＬＥＤとして小型化しても、放熱構造が大きくなることから、小型化できない問題がある。
【００１１】
また、アルミダイキャストにより放熱部を製造する場合には、アルミニウム合金を高温で溶解し、ダイキャスト金型に注入成形し、その後、不要部分の除去や表面仕上げを行う等の多くの工程を必要とし、製造コストが高くなる問題もある。
【００１２】
そこで、本発明の課題は、簡易な構成でありながらＬＥＤの温度上昇を抑制することができる放熱効率が得られ、しかも製造コストを低減することができる電球形発光ダイオード照明灯の放熱体を提供することにある。
【課題を解決するための手段】
【００１３】
上記の課題を解決するために、本発明にかかる電球形ＬＥＤ照明灯の放熱体は、基端側に設けられる電球の口金と、開口端側に設けられる複数個のＬＥＤが表面側に実装されたプリント配線板との間に介在される放熱体であって、
上記放熱体は、熱伝導率が良好なアルミニウムを押出し加工または引抜き加工によって中空円筒状に形成され、外周には複数条の突堤フィンが形成されるとともに、中空内部には上記ＬＥＤの電源を生成する電源部を収納するための収納部が形成され、
上記突堤フィンは、外周からの高さが上記基端側から上記開口端側に至るに従って暫時大きくなるように突出形成され、
上記開口端側の上記突堤フィン端面は、金属プリント配線板の裏面側が面接合するように平面に形成されたことを要旨としている。
【００１４】
収納部は、中空内部の内周面に基端側から開口端側に至る挿通溝が一体に形成されている。
【００１５】
突堤フィンは、屈曲加工な肉薄に形成され、基端側から上記開口端側に至るに従って高さが暫時大きくなるように上記突堤フィンの先端側が屈曲されている。
【００１６】
また、本発明にかかる電球形ＬＥＤ照明灯の放熱体を形成する方法としては、アルミニウムを押出し加工または引抜き加工によって外周に複数条の突堤が形成されるとともに、内周に円筒状の中空部が形成された長尺の放熱体素材を所定寸法に切断する切断工程と、
上記放熱体素材の上記突堤を基端側から上記開口端側に至るに従って高さが暫時大きくなるように切削または切断して突堤フィンを形成するフィン形成工程と、
開口端側の上記突堤フィン端面を、金属プリント配線板の裏面側が面接合するための平面加工、或いは、口金を取り付けるための形状に加工する成形加工工程とを少なくとも備えることにより形成される。
【００１７】
本発明にかかる電球形ＬＥＤ照明灯の放熱体を形成する他の方法としては、アルミニウムを押出し加工または引抜き加工によって外周に屈曲可能な肉厚とした複数条の突堤が形成されるとともに、内周に円筒状の中空部が形成された長尺の放熱体素材を所定寸法に切断する切断工程と、
基端側と開口端側の上記突堤先端を結ぶ屈曲線として上記放熱体素材の上記突堤を略周方向に屈曲して、上記基端側と上記開口端側に至るに従って高さが暫時大きくなるように突堤フィンを形成するフィン形成工程と、
開口端側の上記突堤フィン端面を、金属プリント配線板の裏面側が面接合するための平面加工、或いは、口金を取り付けるための形状に加工する成形加工工程とを少なくとも備えることにより形成される。
【発明の効果】
【００１８】
本発明にかかる電球形ＬＥＤ照明灯の放熱体によれば、ＬＥＤの温度上昇を抑制するための放熱体が、アルミニウムを押出し加工または引抜き加工によって中空円筒状に形成され、その外周に複数条の突堤フィンが形成されているので、熱伝導率が熱伝導率約２３０Ｗ／ｍ・℃と大きいことから、従来のアルミダイキャスト製の放熱体と比較して大幅に放熱効率を高めることが可能となる。また、複数条の突堤フィンが、ＬＥＤに近い開口端側に至るに従ってフィンの高さを大きく形成し、開口端側の突堤フィン端面に複数個のＬＥＤが表面側に実装された金属プリント配線板を面接合させるので、金属プリント配線板との間の熱伝達抵抗を小さくすることができ、この結果、ＬＥＤから発する熱が金属プリント配線板を介して速やかに突堤フィンにより放熱させることが可能となる。このとき、突堤フィンが金属プリント配線板を接合した開口端側に至るに従って暫時高さを大きくしているので、ＬＥＤから発する熱が、大きな放熱面積を有する開口端側から高効率で放熱され、次第に放熱容量が小さくなるに従って順次小さな放熱面積としているので、放熱に必要な熱容量に応じて効率的な放熱が可能となる。さらに、内周に円筒状の収納部が形成されているので、上記ＬＥＤの電源を生成する電源部を収納することができ、この電源部から発する熱も放熱体によって放熱することが可能になり、この結果、電球形ＬＥＤ照明灯をコンパクトにすることができる。
【００１９】
収納部は、中空内部の内周面に基端側から開口端側に至る挿通溝が一体に形成すると、ＬＥＤの電源を生成する電源部を構成するプリント基板の両側を挿通して取り付けることができ、電源部をコンパクトに収納することが可能となる。
【００２０】
突堤フィンを屈曲加工な肉薄に形成し、基端側から上記開口端側に至るに従って高さが暫時大きくなるように突堤フィンの先端側を屈曲すると、突堤フィンの表面積を大きくすることができるので、放熱効率を高めることが可能となる。
【００２１】
また、本発明による放熱体を形成方法によれば、外周に複数条の突堤が形成されるとともに、内周に円筒状の中空部が形成された長尺の放熱体素材を、アルミニウムの押出し加工または引抜き加工によって容易に製造することができ、この長尺の放熱体素材を所定寸法に切断することによって、容易に放熱体素材を得ることが可能となる。さらに、放熱体素材の突堤を基端側から上記開口端側に至るに従って高さが暫時大きくなるように切削または切断することにより、電球形ＬＥＤ照明灯の形状に合致した側面略円錐台状の放熱体を容易に形成することが可能となる。
【００２２】
本発明による放熱体の他の形成方法によれば、アルミニウムを押出し加工または引抜き加工によって外周に屈曲可能な肉厚とした複数条の突堤を形成し、この突堤を基端側から開口端側に至るに従って高さが暫時大きくなるように屈曲することによって、電球形ＬＥＤ照明灯の形状に合致した側面略台形状の放熱体を容易に形成することが可能となる。これにより、製造コストの低減に寄与できる。
【発明を実施するための最良の形態】
【００２３】
本発明による電球形ＬＥＤ照明灯の放熱体は、基端側に設けられる電球の口金と、開口端側に設けられる複数個のＬＥＤが表面側に実装されたプリント配線板との間に介在される。この記放熱体は、熱伝導率が良好なアルミニウムを押出し加工または引抜き加工によって中空円筒状に形成され、外周には複数条の突堤フィンが形成されるとともに、中空内部には上記ＬＥＤの電源を生成する電源部を収納するための収納部が形成されている。そして、上記突堤フィンは、外周からの高さが上記基端側から上記開口端側に至るに従って暫時大きくなるように突出形成され、上記開口端側の上記突堤フィン端面は、金属プリント配線板の裏面側が面接合するように平面に形成されるように構成される。
【実施例】
【００２４】
次に、図面を参照して本発明にかかる電球形ＬＥＤ照明灯の放熱体について詳細に説明する。
【００２５】
図１は、電球形ＬＥＤ照明灯の放熱体１の斜視図、図２は、放熱体１を基端側１ａから見た斜視図である。放熱体１は、熱伝導性の良いアルミニウムを素材として、中空円筒状に形成されている。そして、外周には複数条の突堤フィン２が放熱体１の中心から放射方向に向けて突出形成され、中空内部には、ＬＥＤの電源を生成する電源部を収納するための収納部３が形成されている。複数条の突堤フィン２は、外周からの高さが基端側１ａから開口端側１ｂに至るに従って暫時大きくなるように形成されている。さらに、突堤フィン２の開口端側１ｂの端面は、後述する金属プリント配線板の裏面側が面接合するように平面に形成されるように構成されている。
【００２６】
また、収納部３の内部は空間となっていて、図１及び図２に示すように、左右両側に突出部３ａが形成され、この突出部３ａには、後述する金属プリント配線板の両端を挿通するための挿通溝３ｂが形成されている。この様な収納部３の内部空間は、基端側１ａから開口端側１ｂに至るまで同じ形状に形成されていていて、基端側１ａ及び開口端側１ｂは開口となっている。
【００２７】
上述した放熱体１は、図３乃至図５に示すように、電球形ＬＥＤ照明灯に配設される。放熱体１の基端側１ａには、Ｅ２６型、Ｅ１７型、ＥＺ１１型等の口金４が取り付けられる。この口金４は、放熱体１の基端側１ａに直接嵌合して取り付けても、或いは、電気的絶縁性を有する樹脂からなるインシュレータを介して取り付けても良い。
【００２８】
一方、放熱体１の開口端側１ｂには、金属コアプリント基板５が取り付けられる。この金属コアプリント基板５の上面には、図４及び図５に示すように、複数個のＬＥＤ６（発光ダイオード）が実装されている。これらのＬＥＤ６は、金属コアプリント基板５に配設した配線パターンに電気的に接続されている。なお、図４においては、平坦な金属コアプリント基板５の表面にＬＥＤチップを接続しているが、金属コアプリント基板の表面に凹面状の反射部を形成して、その反射部内にＬＥＤチップを実装して、ＬＥＤ６から発する光に方向性を持たせても良い。また、各ＬＥＤチップの上方に弾丸形のレンズを配設して、ＬＥＤ６の光を広い範囲に拡散させるようにしても良い。
【００２９】
前述したように、放熱体１の開口端側１ｂは平面に形成されていて、金属コアプリント基板５の裏面側と面接合させて取り付けられる。放熱体１と金属コアプリント基板５との固定手段としては、例えば、高い放熱性を有する素材でできた両面粘着放熱シートを放熱体１の開口端側１ｂと金属コアプリント基板５の裏面側との間に介在させて固定しても良く、或いは、収納部３の内部に突出形成された突出部３ａの端面にねじ孔を形成し、このねじ孔に金属コアプリント基板５をビスによって固定するなど、適宜の取付金具を用いて固定しても良い。このように、放熱体１の開口端側１ｂと金属コアプリント基板５の裏面側と面接合させて取り付けることにより、ＬＥＤ６から発する熱が金属コアプリント基板５を介して放熱体１に効率的に伝導される。
【００３０】
上記ＬＥＤ６には、放熱体１の収納部３に配設した電源部７から電力が供給される。電源部７は、交流直流変換回路が設けられた回路基板からなり、この回路基板には、口金４の底部の端子部および側面に電気的に接続されて、例えば商用電源の交流１００Ｖが入力される。そして、交流直流変換回路により直流に変換され、ＬＥＤ６群の正負の端子に電気的に接続される。
【００３１】
そして、放熱体１の開口端側１ｂには、略半球状の透光性キャップ８が被冠される。キャップ８は、透光性を有する半透明の樹脂またはガラスによって形成されていて、ＬＥＤ６群から発する光を拡散させて外方に放出させる。透光性キャップ８としては、異なる色温度および色のものが用いられ、透光性キャップ７の種類によって複数種類の電球形ＬＥＤ照明灯が得られる。なお、色温度としては、例えば昼光色、昼白色、白色、温白色、電球色があり、色としては、例えば赤、青、黄色、緑、青、ピンク等がある。
【００３２】
このように構成した電球形ＬＥＤ照明灯において、まず、電源部７から直流電源が供給されるとＬＥＤ６が放射光を放射する。このときＬＥＤ６から発生した熱は、金属コアプリント基板５を介して放熱体１に流れ、放熱体１から外部の空気に放熱される。放熱体１の外周には複数条の突堤フィンが形成されているので、大きな放熱面積による冷却構造により、ＬＥＤ６の発熱を抑制して発光効率を高くすることができ、ＬＥＤ６の寿命を長くすることができる。
【００３３】
次に、図６及び図７を参照しながら、放熱体１の形成方法について説明する。放熱体１の素材となる金属板は、熱伝導性が良く、しかも押出し加工または引抜き加工が可能なアルミニウムまたはアルミニウム合金が好適である。
【００３４】
図６は、放熱体１の放熱体素材１０を押出し加工によって形成する工程を示している。この押出し加工は一般に周知の押出し加工を採用することができ、その詳細な説明は省略する。図示しない押出し加工機の先端には、ダイス１１が設けられている。ダイス１１には、先端側に放熱体１の平面形状の押出し孔１１ａが設けられている。そして、周知のように、アルミニウム素材からなるピレットを加熱されたダイス１１の後方の中空内から挿入するとともに、ピレットを所定の圧力にてプレスすることにより、押出し孔１１ａから放熱体１の放熱体素材１０が押し出される。この放熱体素材１０は、ピレットの長さに応じて長尺に形成される。
【００３５】
ダイス１１から押し出された放熱体素材１０は、必要に応じて焼き入れ処理や矯正処理が施される。その後、放熱体素材１０は放熱体１として必要な寸法に切断される。なお、切断された放熱体素材１０は、経時的に寸法が変化しないように、必要に応じて熱処理が施される。このように押出し加工された放熱体素材１０は、外周に複数条の突堤１０ａが形成される。この突堤１０ａの高さは、放熱体１に形成される突堤フィン２の開口端側１ｂの高さに形成されている。また、放熱体素材１０の内周には円筒状の中空部が形成されている。
【００３６】
所定寸法に切断された放熱体素材１０は、図７に示すフィン形成工程において、図１に示した放熱体１が形成される。フィン形成工程は、放熱体素材１０の突堤１０ａを基端側から開口端側に至るに従って高さが暫時大きくなるように、図７に示す二点鎖線の部分を切削または切断することにより、放熱体１の軸方向に対して傾斜させた突堤フィン２を形成する。
【００３７】
その後、放熱体素材１０は、成形加工工程において、開口端側１ｂの突堤フィン２端面を、前述した金属コアプリント配線板５の裏面側が面接合するための平面加工を施すとともに、基端側１ａに口金４を取り付けるための形状に加工される。なお、この成形加工工程と前述したフィン形成工程の順序を変えても良い。
【００３８】
図８は、本発明による放熱体１の変形例を示し、放熱体２の外周には、前述した放熱体１の突堤フィン２に対して２倍の突堤フィン２１を形成したものである。この例においても、前述した実施例と同様の工程によって形成することができるが、異なる点は、放熱体素材を押出し加工する際に使用するダイスの押出し孔に１６条の突堤が形成されるように形成したことである。
【００３９】
図９は、本発明による放熱体の他の変形例を示し、放熱体２０の外周に形成される突堤フィン２１の平面形状を異ならせている。すなわち、突堤フィン２１は、収納部２２の外周から外方に至るに従って漸次肉薄になるように形成されている。なお、この例においても、前述した実施例と同様の工程によって形成することができるが、異なる点は、放熱体素材を押出し加工する際に使用するダイスの押出し孔の突堤を形成する部分の形状を異ならせたことである。
【００４０】
図１０は、本発明による放熱体のさらに他の変形例を示し、放熱体３０の外周に形成される突堤フィン３１の表面積を大幅に大きくしている。すなわち、放熱体３０の外周に形成される突堤フィン３１を屈曲加工な肉薄に形成し、基端側３０ａから開口端側３０ｂに至るに従って高さが暫時大きくなるように突堤フィン３１の先端側を放熱体３０に周面を巻くように屈曲されている。このとき、基端側３０ａの突堤フィン３１の先端は、隣の突堤フィン３１の基端側３０ａに接するような寸法に設定されている。また、開口端側３０ｂの突堤フィン４１の先端も若干屈曲させるようにしている。このように、突堤フィン４１の先端を基端側３０ａから開口端側３０ｂまでの全体を屈曲することにより、屈曲加工が容易になる。
【００４１】
次に、図１０に示す放熱体３０の形成方法について説明する。放熱体３０の素材となる金属板は、前述した実施例と同様に、熱伝導性が良く、しかも押出し加工または引抜き加工が可能なアルミニウムまたはアルミニウム合金が好適である。
【００４２】
まず、放熱体３０の放熱体素材を押出し加工によって形成する。この押出し加工は一般に周知の押出し加工を採用することができ、前述した実施例と同様に、先端側に放熱体３０の平面形状の押出し孔が形成されたダイスによって、長尺の放熱体素材を押出し形成する。このとき、図６に示した実施例と相違する点は、外周に突出形成される突堤の板厚を屈曲可能な厚さまで肉薄にしたことである。
【００４３】
長尺の放熱体素材は、その後、切断工程において所定寸法に切断される。そして、次のフィン形成工程において突堤を屈曲形成する。このとき、屈曲する個所は、基端側３０ａと開口端側３０ｂの突堤先端を結ぶ直線を屈曲線として屈曲される。この結果、外形形状を前述した放熱体１と同様に、側面形状が略台形状に形成される。なお、突堤を屈曲形成する治具としては、突堤を個々に屈曲しても良いが、放熱体素材または治具を相対的に回転して、突堤の先端が同一方向に向けて巻き付けるように屈曲形成しても良い。その他、突堤の先端の屈曲方向を部分的に異ならせるようにしても良い。
【００４４】
その後、放熱体素材を成形加工工程により、開口端側３０ｂの突堤フィン３１の端面を前述した金属コアプリント配線板５の裏面側が面接合するための平面加工を施すとともに、基端側３０ａを口金４が取り付けられる形状に加工される。なお、この実施例においても、成形加工工程と前述したフィン形成工程の順序を変えても良い。
【００４５】
以上、本発明を実施例に基づいて具体的に説明したが、本発明は上記実施例に限定されるものではなく、その要旨を逸脱しない範囲内で種々変更可能であることは言うまでもない。前述した実施例においては、放熱体素材を押出し加工によって形成する例を示したが、引き出し加工によって形成しても良い。なお、精度が要求される場合には引き出し加工が望ましい。また、変更例としては、例えば、放熱体に形成する突堤フィンの幅とその間の幅は、適宜に設定することができ、突堤フィンの幅よりもその間の幅を小さくしても良い。また、突堤フィンの高さ、および間隔は、全周において均一でなくとも、例えば放熱分布に応じて、高さや間隔等を適宜に変更しても良い。
【図面の簡単な説明】
【００４６】
【図１】本発明にかかる電球形ＬＥＤ照明灯の放熱体を示す斜視図である。
【図２】図１に示す放熱体を開口端側から見た平面図である。
【図３】図１に示す放熱体を基端側から見た斜視図である。
【図４】図１に示す放熱体を電球形ＬＥＤ照明灯に配設した状態を示す半断面図である。
【図５】図１に示す放熱体を電球形ＬＥＤ照明灯に配設した状態を示す平面図である。
【図６】本発明にかかる放熱体の放熱体素材を形成する押出し工程を示す斜視図である。
【図７】本発明にかかる放熱体の放熱体素材の突堤を切削するフィン形成工程を示す側面図である。
【図８】本発明にかかる放熱体の変形例を示す斜視図である。
【図９】本発明にかかる他の放熱体の変形例を示す斜視図である。
【図１０】本発明にかかるさらに他の放熱体の変形例を示す斜視図である。
【符号の説明】
【００４７】
１      放熱体
１ａ    基端側
１ｂ    開口端側
２      突堤フィン
３      収納部
４      口金
５      金属コアプリント基板
６      ＬＥＤ（発光ダイオード）
６ａ    放熱フィン
１０    放熱体素材
１０ａ  突堤
１１    ダイス
【図１】
2011108493.tif 000003
【図２】
2011108493.tif 000004
【図３】
2011108493.tif 000005
【図４】
2011108493.tif 000006
【図５】
2011108493.tif 000007
【図６】
2011108493.tif 000008
【図７】
2011108493.tif 000009
【図８】
2011108493.tif 000010
【図９】
2011108493.tif 000011
【図１０】
2011108493.tif 000012